(57)【要約】【課題】物体表面の光沢に関する評価値を求める光沢特性評価装置において、構成が複雑にならず簡易に視感と対応の取れた評価値を取得できるようにする。【解決手段】入射角θ１に配置された第１光源部１０_1から照明光Ｌ11を発し、反射角θ１に配置された第１受光部３０_1にて受光開き角Φ１で反射光Ｌ21を受光する。信号処理部８は、この受光により得た受光データＳ11に基づいて鏡面光沢度ＧＳ１を算出する。また入射角θ２に配置された第２光源部１０_2から照明光Ｌ12を発し、反射角θ２に配置された第２受光部３０_2にて受光開き角Φ２で反射光Ｌ22を受光する。信号処理部８は、この受光により得た受光データＳ12に基づいて鏡面光沢度ＧＳ２を算出する。信号処理部８は、２つの光沢指標値ＧＳ１，ＧＳ２の比もしくは差を取ることで、写像性評価値ＧＣや光沢むら評価値ＧＵを求める。【選択図】図１
2007033099.tif 000002
【特許請求の範囲】
【請求項１】
物体から得られる正反射光に基づいて前記物体の光沢に関する評価値を求める光沢特性評価方法であって、
前記物体の表面からの正反射光をそれぞれ異なる受光開き角で受光し、この受光により得られる複数の信号に基づいて、前記物体の光沢に関する評価値を求める
ことを特徴とする光沢特性評価方法。
【請求項２】
物体から得られる正反射光に基づいて前記物体の光沢に関する評価値を求める光沢特性評価装置であって、
前記物体の表面からの正反射光をそれぞれ異なる受光開き角で受光して得た複数の信号に基づいて、前記物体の光沢に関する評価値を求める光沢特性評価値取得部
を備えたことを特徴とする光沢特性評価装置。
【請求項３】
前記物体を照明する光源部と、
前記光源部による照明下での前記物体の表面からの正反射光をそれぞれ異なる受光開き角で受光する受光部と
を備えたことを特徴とする請求項２に記載の光沢特性評価装置。
【請求項４】
前記受光部は、２つの受光開き角が２倍以上の差を持つように構成されている
ことを特徴とする請求項３に記載の光沢特性評価装置。
【請求項５】
前記受光部は、それぞれ異なる反射角で配置されかつそれぞれ異なる受光開き角に設定されている複数の受光部を有し、
前記光源部は、前記それぞれ異なる反射角に対応するそれぞれ異なる入射角で配置されている複数の光源部を有する
ことを特徴とする請求項３または４に記載の光沢特性評価装置。
【請求項６】
前記受光部は、所定の反射角で配置されかつそれぞれ異なる受光開き角に調整可能に構成されており、
前記光源部は、前記所定の反射角に対応する所定の入射角で配置されている光源部を有する
ことを特徴とする請求項３または４に記載の光沢特性評価装置。
【請求項７】
前記光沢特性評価値取得部は、前記物体の光沢に関する評価値として、物体表面の写像性に関する評価値を求める写像性評価値取得部
を有することを特徴とする請求項２〜６のうちの何れか１項に記載の光沢特性評価装置。
【請求項８】
前記光沢特性評価値取得部は、前記物体の光沢に関する評価値として、物体表面の光沢むらに関する評価値を求める光沢むら評価値取得部
を有することを特徴とする請求項２〜６のうちの何れか１項に記載の光沢特性評価装置。
【請求項９】
前記光沢特性評価値取得部は、
前記物体の光沢に関する評価値として、物体表面の写像性に関する評価値を求める写像性評価値取得部と、
前記物体の光沢に関する評価値として、物体表面の光沢むらに関する評価値を求める光沢むら評価値取得部と
を有することを特徴とする請求項２〜６のうちの何れか１項に記載の光沢特性評価装置。
【請求項１０】
前記受光部は、前記物体表面の写像性に関する評価値を求めるための反射角で配置されかつそれぞれ異なる受光開き角に調整可能に構成された第１の受光部と、前記物体表面の光沢むらに関する評価値を求めるための反射角で配置されかつそれぞれ異なる受光開き角に調整可能に構成された第２の受光部とを有し、
前記光源部は、前記第１の受光部の反射角に対応する所定の入射角で配置されている第１の光源部と、前記第２の受光部の反射角に対応する所定の入射角で配置されている第２の光源部とを有する
ことを特徴とする請求項９に記載の光沢特性評価装置。
【請求項１１】
前記受光部は、それぞれ異なる受光開き角に調整可能に構成されているとともに、
前記光源部および前記受光部は、前記物体表面の写像性に関する評価値を求めるための入射角および反射角並びに前記物体表面の光沢むらに関する評価値を求めるための反射角入射角および反射角の何れかに調整可能に構成されている
ことを特徴とする請求項９に記載の光沢特性評価装置。
【請求項１２】
前記光源部および前記受光部は、前記物体表面の写像性に関する評価値を求める際の入射角と反射角とが６０度以下となるように配置されている
ことを特徴とする請求項７，９，１０，１１のうちの何れか１項に記載の光沢特性評価装置。
【請求項１３】
前記光源部および前記受光部は、前記物体表面の光沢むらに関する評価値を求める際の入射角と反射角とが７５度以上となるように配置されている
ことを特徴とする請求項８〜１１のうちの何れか１項に記載の光沢特性評価装置。
【請求項１４】
物体から得られる正反射光に基づいて前記物体の光沢に関する評価値を求める光沢特性評価処理をコンピュータを用いて行なうためのプログラムであって、
前記コンピュータを、前記物体の表面からの正反射光をそれぞれ異なる受光開き角で受光して得た複数の信号に基づいて、前記物体の光沢に関する評価値を求める光沢特性評価値取得部
として機能させることを特徴とするプログラム。
【発明の詳細な説明】
【技術分野】
【０００１】
本発明は、物体の光沢に関する評価値を求める光沢特性評価方法および光沢特性評価装置並びにプログラムに関する。たとえば、カラープリンタなどの画像形成装置により形成された画像や文字が記録された物体表面の写像性と光沢むらに関する評価値を求める仕組みに関する。
【背景技術】
【０００２】
カラープリンタなどの画像形成装置により形成された画像および画像印字媒体の光沢は、ドキュメントの高級感や文字の読み易さなどに強く影響する重要な画質因子であり、品質管理項目の１つとして用いられている。ここで、物体表面の光沢に関する評価値としては、たとえば写像性（写像鮮明性とも称される）に関する評価値や光沢むらに関する評価値がある。
【０００３】
写像性は、インクジェット方式の印刷方式や銀塩写真方式の画像形成装置などで形成された高光沢画像の表面で観察される光沢特性で、画像表面に映りこんだ光源の鮮明さに相当する視覚的な光沢特性である。
【０００４】
一方、光沢むらは、電子写真方式や印刷方式の画像形成装置などで形成された画像の表面で観察される光沢特性で、画像表面からの正反射光の不均一さ（いわゆるむら）に相当する視覚的な光沢特性である。
【０００５】
写像性や光沢むらを評価する方法としては、測定器を通して写像性や光沢むらの特徴量を算出する客観的評価方法があり、これまでに多数の方式が提案されている（たとえば特許文献１〜４を参照）。
【０００６】
【特許文献１】特開２００１−３０５０５１号公報
【特許文献２】特開２００４−５３５３４号公報
【特許文献３】特開平６−２２２００２号公報
【特許文献４】特開２００２−３５０３５５号公報
【０００７】
たとえば、特許文献１に記載の技術では、所定の模様を有する投影パターンを介して光源の光を照射し、所定の模様をＣＣＤカメラで撮像し、撮像して得た画像の２次元フーリエスペクトルから所定の周波数帯域の積分値の割合に基づいて鮮明度光沢度を求めるようにしている。
【０００８】
また、特許文献２に記載の技術では、空間周波数が変化する明暗パターンを被測定体の表面に投影し、表面で反射した反射光の明暗パターンをＣＣＤカメラで撮像し、明暗パターンの光強度分布に基づいてコントラスト伝達率の変化を表す伝達関数を求めて鮮明度光沢を求めるようにしている。
【０００９】
また、特許文献３に記載の技術では、可視光を対象物に照射し反射光をＣＣＤカメラで受光し、明暗の階調分布をフーリエ変換しフーリエ逆変換する際に、特定波長範囲で強調係数を用いて画像の明暗を２極化し、明暗部の画像領域に基づいて光沢むらを算出するようにしている。
【００１０】
また、特許文献４に記載の技術では、正反射光成分を含む画像を撮像し平均値からの偏差画像を算出し、偏差画像の空間周波数特性に視覚の空間周波数特性を乗じて積分した値を算出し、積分により得られた値に比例係数を乗じた値で光沢むらを評価するようにしている。
【発明の開示】
【発明が解決しようとする課題】
【００１１】
しかしながら、これら特許文献１〜４に記載の技術では、物体表面に投影パターンを照射して物体表面からの正反射光をＣＣＤカメラで撮像するなどして、正反射光を２次元的に測定して評価値を算出しているため、装置構成が複雑で簡易に評価値を算出できないという問題や、測定装置が高価になるという問題がある。
【００１２】
たとえば、特許文献１に記載の技術では、所定の模様を有する投影パターンを介して光源の光を照射しているため、装置構成が複雑になり易い。また、撮像して得た画像の２次元フーリエスペクトルから所定の周波数帯域の積分値の割合に基づいて鮮明度光沢度を求めているため、簡易に評価値を算出することができない。また、ＣＣＤカメラを用いているため、測定装置が高価になり易い。
【００１３】
また、特許文献２に記載の技術では、空間周波数が変化する明暗パターンを被測定体の表面に投影しているため、装置構成が複雑になり易い。また、明暗パターンの光強度分布に基づいてコントラスト伝達率の変化を表す伝達関数を求めて鮮明度光沢を求めているため、簡易に評価値を算出することができない。また、ＣＣＤカメラを用いているため、測定装置が高価になり易い。
【００１４】
また、特許文献３に記載の技術では、明暗の階調分布をフーリエ変換しフーリエ逆変換する際に、特定波長範囲で強調係数を用いて画像の明暗を２極化し、明暗部の画像領域に基づいて光沢むらを算出しているため、簡易に評価値を算出できない。また、ＣＣＤカメラを用いているため、測定装置が高価になり易い。
【００１５】
また、特許文献４に記載の技術では、正反射光成分を含む画像を撮像し平均値からの偏差画像を算出し、偏差画像の空間周波数特性に視覚の空間周波数特性を乗じて積分した値を算出し、積分により得られた値に比例係数を乗じた値で光沢むらを評価しているため、簡易に評価値を算出できない。また、ＣＣＤカメラを用いているため、測定装置が高価になり易い。
【００１６】
本発明は、上記事情に鑑みてなされたものであり、装置構成が複雑にならず簡易に視感と対応の取れた光沢に関する評価値を取得できる仕組みを提供することを目的とする。
【課題を解決するための手段】
【００１７】
本発明に係る光沢特性評価の仕組みにおいては、先ず、物体の表面からの正反射光をそれぞれ異なる受光開き角で受光することとして、この受光により得られる複数（典型的には２つ）の信号に基づいて物体の光沢に関する評価値を求めることとした。評価値を求めるには、信号比や信号差を取ることで可能である。なお、好ましくは、受光開き角が２倍以上の差を持つようにするのがよい。
【００１８】
また従属項に記載された発明は、本発明に係る光沢特性評価の仕組みのさらなる有利な具体例を規定する。さらに、本発明に係るプログラムは、本発明に係る光沢特性評価の仕組みを、電子計算機（コンピュータ）を用いてソフトウェアで実現するために好適なものである。なお、プログラムは、コンピュータ読取り可能な記憶媒体に格納されて提供されてもよいし、有線あるいは無線による通信手段を介した配信により提供されてもよい。
【００１９】
たとえば、物体の表面からの正反射光をそれぞれ異なる受光開き角で受光するための具体的な仕組みとしては、それぞれ異なる複数の受光開き角に設定されかつそれぞれ異なる反射角で配置された個別の受光部と、これら個別の受光部の反射角に対応するそれぞれ異なる入射角で配置された個別の光源部を使用する第１の構成を採ることができる。
【００２０】
あるいは、受光部を、受光開き角を調整可能な構成とすることで、所定の反射角で配置された受光部と、この受光部の反射角に対応する入射角で配置された光源部とを使用する第２の構成を採ることもできる。
【００２１】
なお、入射角および反射角は、物体表面の写像性に関する評価値を求める際にはそれに適した最適値（たとえば６０度以下）に、また、物体表面の光沢むらに関する評価値を求める際にはそれに適した最適値（たとえば７５度以上）にそれぞれ設定する。
【００２２】
また、物体表面の写像性に関する評価値を求める際の入射角および反射角の最適値と、物体表面の光沢むらに関する評価値を求める際の入射角および反射角の最適値とが異なるので、両者を１つの装置で取得できるようにするには、それぞれの評価値の取得に適した最適値に設定できる仕組みにする必要がある。
【００２３】
このためには、たとえば、物体表面の写像性に関する評価値を求めるための反射角で配置されかつそれぞれ異なる受光開き角に調整可能に構成された第１の受光部およびそれに対応する入射角で配置された第１の光源部と、物体表面の光沢むらに関する評価値を求めるための反射角で配置されかつそれぞれ異なる受光開き角に調整可能に構成された第２の受光部およびそれに対応する入射角で配置された第２の光源部とを有する構成とすることが考えられる。
【００２４】
あるいは、それぞれ異なる受光開き角に調整可能に構成された受光部を使用しつつ、光源部と受光部とを、物体表面の写像性に関する評価値を求めるための入射角および反射角と物体表面の光沢むらに関する評価値を求めるための入射角および反射角に調整可能な構成を採ることも考えられる。
【発明の効果】
【００２５】
本発明によれば、物体表面からの正反射光をそれぞれ異なる受光開き角で受光し、受光した２つの信号に基づいて物体表面の写像性や光沢むらに関する評価値を信号比や信号差を取ることで求めるようにしたので、物体表面からの正反射光を撮像するＣＣＤカメラが不要であり測定装置を低価で実現できるし、信号比や信号差により簡易に評価値を求めることができる。
【発明を実施するための最良の形態】
【００２６】
以下、図面を参照して本発明の実施形態について詳細に説明する。
【００２７】
＜光沢特性評価装置の構成；第１実施形態＞
図１は、本発明に係る光沢特性評価装置の第１実施形態の全体構成の概略を示す図である。この第１実施形態の光沢特性評価装置１は、所定の入射角で被測定物を照射し、それに対応した正反射光をそれぞれ異なる受光開き角で検出する仕組みとして、光源および受光部をそれぞれ複数備える点に特徴を有している。以下具体的に説明する。
【００２８】
第１実施形態の光沢特性評価装置１は、被測定物３の正反射光強度を測定する図示しない所定形状の本体の先端側に設けられた光学部４、光学部４の動作を制御する光学系制御部５、被測定物３を載置する支持台（ステージ）６、支持台６をＸ（図中の左右）−Ｙ（図中の奥行き）方向に移動させる支持台駆動部７、および光学系制御部５の制御の元で光学部４にて取得される信号に基づいて被測定物３の光沢に関する指標値（光沢特性評価値）を求める信号処理部８を備えて構成されている。
【００２９】
支持台６は、光沢特性評価装置１の図示しない本体に固定されている。支持台駆動部７は、図示しないモータやこのモータを駆動する制御回路などを備えてなり、図示しないプリント基板上に搭載され、本体内の支持台６の近傍に収容されている。この支持台６は、たとえばＸＹステージなどの機構に類する構造を有し、被測定物３を載置したままで、モータの回転によって図中の左右方向（Ｘ方向）や図中の奥行き方向（Ｙ方向）に移動するようになっている。したがって、支持台６の上方向から光学部４にて被測定物３の表面の任意の希望する位置（測定ポイントｚ）における反射光を測定することで光沢特性評価値を測定することができるようになる。
【００３０】
支持台６には、光学部４を支持する図示しない支柱の一端が固定されており、この支柱の他端には光学部４が配設されている。そして、この支柱の他端には、さらに図示しない基板保持具が取り付けられており、光学系制御部５および信号処理部８が図示しないプリント基板上に搭載され、本体内の基板保持具にて光学部４の近傍に収容されるようになっている。
【００３１】
光学部４は、被測定物３に照明光（測定光）を照射する光源部１０と、被測定物３の測定ポイントｚにて反射された反射光を受光する受光部３０とを有している。光源部１０と受光部３０とは、光軸が所定の関係を常に満たすように、本体の先端側に一体化されて収容されている。
【００３２】
ここで、第１実施形態の光源部１０と受光部３０とは、それぞれ異なる入射角θ１，θ２で被測定物３を照射し、それに対応したそれぞれ異なる正反射光Ｌ21，Ｌ22をそれぞれ異なる受光開き角Φ１，Φ２（Φ１＜Φ２）で検出する仕組みとして、先ず、光源部１０は、被測定物３に第１入射角θ１で照明光（測定光）Ｌ11を照射する第１光源部１０_1および被測定物３に第１入射角θ１とは異なる第２入射角θ２（θ１＜θ２）で照明光（測定光）Ｌ12を照射する第２光源部１０_2を有して構成され、また受光部３０は、被測定物３にて反射された反射光のうちの第１入射角θ１に対応する第１反射角θ１の正反射光成分Ｌ21を受光する第１受光部３０_1および被測定物３にて反射された反射光のうちの第２入射角θ２に対応する第２反射角θ２の正反射光成分Ｌ22を受光する第２受光部３０_2を有して構成されている。
【００３３】
光源部１０は、光学系制御部５の制御の元で、所定タイミングで照明光Ｌ11，Ｌ12を被測定物３に照射する。この際には、第１入射角θ１での照明光Ｌ11の照明時の受光開き角Φ１での第１受光部３０_1における検知と第２入射角θ２での照明光Ｌ12の照明時の受光開き角Φ２での第２受光部３０_2における検知とが緩衝し合わないように、時分割で照明光Ｌ11，Ｌ12を被測定物３に照射するようにするのが好ましい。この制御のため、光学系制御部５は、受光開き角Φ１での検知をアクティブとする制御信号ＣＮ１を第１光源部１０_1に、受光開き角Φ２での検知をアクティブとする制御信号ＣＮ２を第２光源部１０_2に出力するようになっている。
【００３４】
受光部３０は、受光部３０で検知した受光信号Ｓ11（第１入射角θ１対応のもの），Ｓ12（第２入射角θ２対応のもの）を信号処理部８に渡す。必要に応じて、受光部３０にて受光信号Ｓ11，Ｓ12に基づき所定の信号処理（たとえばＡＤ変換）を施して所定の基礎情報（光沢指標基礎値Ｄ１，Ｄ２）を得これを信号処理部８に渡してもよいし、またさらに必要に応じて所望の信号処理を施した後、処理済みのデータを光沢指標基礎値Ｄ１，Ｄ２として信号処理部８に渡してもよい。
【００３５】
信号処理部８は、受光部３０により得られた受光信号Ｓ11，Ｓ12あるいは光沢指標基礎値Ｄ１，Ｄ２に基づき、物体表面の特性を示す光沢特性評価値の一例として、写像性（写像鮮明性）を示す評価値ＧＣや光沢むらを示す評価値ＧＵを算出する。
【００３６】
光学系制御部５は、光学部４の動作と信号処理部８による信号処理とが連動して行なわれるよう制御する。このため、光学系制御部５から信号処理部８には制御信号ＣＮ４が入力されている。
【００３７】
なお、測定中、被測定物３が支持台６に対して移動しないように、支持台６には図示しない保持具によって被測定物３が支持台６へ取付可能になっている。支持台６は、拡散性のある（好ましくは光吸収性の良好な）、たとえば濃度１．５以上の黒紙で覆い、被測定物３を通過してきた照明光Ｌ11，Ｌ12が支持台６で反射して光学部４の各受光部３０_1，３０_2に入射することを防止するようにする。黒紙で覆うことに代えて、硬質TiO2膜などの反射防止膜がコーティングされたガラス材を支持台６に用いることもできる。
【００３８】
第１光源部１０_1は、被測定物３に照射する光Ｌ11の光軸が被測定物３の法線Ｎに対して予め定められた第１入射角θ１で入射する位置に配置されている。また、これに対応する第１受光部３０_1は、被測定物３に対して第１入射角θ１で入射した照明光Ｌ11の正反射方向（法線Ｎに対して反射角θ１での反射方向）の光軸上に配置されている。同様に、第２光源部１０_2は第２入射角θ２で入射する位置に、それに対応する第２受光部３０_2は被測定物３に対して第２入射角θ２で入射した照明光Ｌ12の正反射方向（法線Ｎに対して反射角θ２での反射方向）の光軸上に配置されている。
【００３９】
各入射角θ１，θ２やそれに対応する各反射角θ１，θ２は、光沢むらを示す評価値ＧＵや写像性を示す評価値ＧＣを算出するのに好適な角度が設定される。この点についての詳細は後述する。
【００４０】
ここで、光の反射を取り扱う場合、様々な扱い方があるが、本実施形態では、以下のように取り扱うこととする。先ず、光の反射には、物体の表面にて反射する光沢に対しての寄与度が大きい成分（表面反射成分）と、物体内部で吸収、散乱を繰り返した後で表面から放射され色（明度および彩度）に対しての寄与度が大きい成分（内部反射成分）とに分類できる。また、反射角度の側面では、反射面において巨視的に見て鏡面反射のような反射の法則に従う成分である正反射成分と、反射面において正反射角以外の方向へ散乱する反射の成分である拡散反射（乱反射とも言われる）成分とに分類できる。
【００４１】
光源から発せられ物体で反射した光を表面反射成分と内部反射成分とに分離する方法はいくつかあるが、人間はこれらを分離して光沢や色を見ていない。また、市販の光沢度計や測色計は受光器の角度を変えることで正反射成分と拡散反射成分に分けて物体からの反射光を受光しており、表面反射成分と内部反射成分という切り分けはしていない。一般的に、正反射成分は表面反射成分の割合が内部反射成分のそれより大きいため光沢に対しての寄与度が大きく、拡散反射成分は表面反射成分の割合が小さいため色（明度および彩度）に対しての寄与度が大きくなる。
【００４２】
本実施形態においては、光沢むらを示す評価値ＧＵと写像性を示す評価値ＧＣとを求めることを目的としているので、信号処理部８では、ＪＩＳによる鏡面光沢度測定方法と同様に正反射光に基づき求められる光沢指標値を使用することを基本とし、色彩指標値に寄与する拡散反射成分は関知しないこととする。なお、正反射光測定の光学系の構成や測定方法の基本的な事項については、たとえば鏡面光沢度−測定方法（Ｚ８７４１）や特開平８−２９２５８号など参照するとよい。
【００４３】
たとえば、本実施形態においては、第１光源部１０_1は、光学系制御部５から入力される制御信号ＣＮ１に応じて発光する第１ハロゲンランプ１２_1と、第１ハロゲンランプ１２_1から被測定物３への照射光Ｌ11の光軸上に配置され、照射光Ｌ11の収差を補正する第１コリメータレンズ１４_1とを有して構成されている。
【００４４】
同様に、第２光源部１０_2は、光学系制御部５から入力される制御信号ＣＮ２に応じて発光する第２ハロゲンランプ１２_2と、第２ハロゲンランプ１２_2から被測定物３への照射光Ｌ12の光軸上に配置され、照射光Ｌ12を平行光にする第２コリメータレンズ１４_2とを有して構成されている。
【００４５】
このような構成により、被測定物３の測定ポイントｚには、第１コリメータレンズ１４_1や第２コリメータレンズ１４_2によって平行な照明光Ｌ11，Ｌ12が照射されるようになる。
【００４６】
一方、第１受光部３０_1は、被測定物３の測定ポイントｚにて反射された正反射光Ｌ21のうち光軸に平行な反射光を通過させる第１テレセントリックレンズ３２_1と、第１テレセントリックレンズ３２_1の焦点位置に位置する第１受光絞り３４_1と、第１テレセントリックレンズ３２_1を介した反射光を受光する受光素子の一例である第１フォトセンサ３６_1とを有して構成されている。第１フォトセンサ３６_1は、焦点位置に絞りのある第１テレセントリックレンズ３２_1を介して、第１光源部１０_1の照射によって反射された被測定物３の表面からの正反射光Ｌ21を受光開き角Φ１で受光するようになっている。
【００４７】
同様に、第２受光部３０_2は、被測定物３の測定ポイントｚにて反射された正反射光Ｌ21のうち光軸に平行な反射光を通過させる第２テレセントリックレンズ３２_2と、第２テレセントリックレンズ３２_2の焦点位置に位置する第２受光絞り３４_2と、第２テレセントリックレンズ３２_2を介した反射光を受光する受光素子の一例である第２フォトセンサ３６_2とを有して構成されている。第２フォトセンサ３６_2は、焦点位置に絞りのある第２テレセントリックレンズ３２_2を介して、第２光源部１０_2の照射によって反射された被測定物３の表面からの正反射光Ｌ22を受光開き角Φ２で受光するようになっている。
【００４８】
各フォトセンサ３６_1，３６_2は、２次元センサでないフォトダイオードなどの１次元センサを用いるのが好ましい。また、各フォトセンサ３６_1，３６_2の分光感度は、ＸＹＺ表色系における等色関数ｙと略等価であることが望ましい。
【００４９】
ここで、本実施形態の光沢特性評価装置１における最大の特徴点としては、第１受光絞り３４_1とこの第１受光絞り３４_1および第１テレセントリックレンズ３２_1の中心の距離の関係で決まる第１受光開き角Φ１の大きさと、第２受光絞り３４_2とこの第２受光絞り３４_2および第２テレセントリックレンズ３２_2の中心の距離の関係で決まる第２受光開き角Φ２の大きさとが、それぞれ異なるように設定する。なお、詳しくは、各受光開き角Φ１，Φ２は、各テレセントリックレンズ３２_1，３２_2の中心と対応する各受光絞り３４_1，３４_2を結ぶ角度となる。
【００５０】
各受光開き角Φ１，Φ２は、光沢むらを示す評価値ＧＵや写像性を示す評価値ＧＣを算出するのに好適な角度が設定される。この点についての詳細は後述する。
【００５１】
＜信号処理系統の詳細；第１実施形態＞
図２および図３は、第１実施形態の光沢特性評価装置１における信号処理系統の一構成例（以下第１実施形態の信号処理部４０という）を説明する図である。ここで、図２は、第１実施形態の信号処理系統の基本構成例を示し、図３は、その変形例を示す。先ず、図２に示す基本構成例に基づいて説明する。
【００５２】
図２（Ａ）に示すように、第１実施形態の信号処理部４０は、図１に示した光学部４の各受光部３０_1，３０_2を構成する受光信号処理部４２と、受光信号処理部４２により検知された受光信号（基礎情報）Ｓ11，Ｓ12に基づき、視感と対応の取れた評価値を算出する信号処理部８に相当する評価値算出処理部４４とを備える。
【００５３】
受光信号処理部４２は、正反射光Ｌ21についての信号処理系統をなす第１正反射光信号処理部５０_1として、被測定物３に対し第１光源部１０_1からの照明光Ｌ11を照射することで被測定物３にて反射した正反射光Ｌ21を受光する第１正反射光受光器５２_1および第１正反射光受光器５２_1により得られた受光信号Ｓ11に基づき、第１分光鏡面反射率データＳ21を取得する第１分光鏡面反射率取得部５４_1とを有する。また、第１分光鏡面反射率取得部５４_1で得られた第１分光鏡面反射率データＳ21を第１鏡面光沢度ＧＳ１に変換する第１鏡面光沢度変換部５６_1を有する。
【００５４】
同様に、受光信号処理部４２は、正反射光Ｌ22についての信号処理系統をなす第２正反射光信号処理部５０_2として、被測定物３に対し第２光源部１０_2からの照明光Ｌ12を照射することで被測定物３にて反射した正反射光Ｌ22を受光する第２正反射光受光器５２_2および第２正反射光受光器５２_2により得られた受光信号Ｓ12に基づき、第２分光鏡面反射率データＳ22を取得する第２分光鏡面反射率取得部５４_2とを有する。また、第２分光鏡面反射率取得部５４_2で得られた第２分光鏡面反射率データＳ22を第２鏡面光沢度ＧＳ２に変換する第２鏡面光沢度変換部５６_2を有する。
【００５５】
各分光鏡面反射率取得部５４_1，５４_2は、たとえば受光により得た各受光データＳ11，Ｓ12における異常値やノイズを除去するなどしてデータの適正化を図ることで、鏡面光沢度ＧＳ１，ＧＳ２を求めるための基礎データである分光鏡面反射率データＳ21，Ｓ22を取得する。各鏡面光沢度変換部５６_1，５６_2は、この適正化された分光鏡面反射率データＳ21，Ｓ22を用いて鏡面光沢度ＧＳ１，ＧＳ２を算出する。各鏡面光沢度変換部５６_1，５６_2は、各受光部３０_1，３０_2により検知された受光信号に基づいて写像性を示す評価値ＧＣや光沢むらを示す評価値ＧＵを求めるための基礎情報としての複数の鏡面光沢度を取得する正反射光基礎情報取得部の一例である。
【００５６】
第１分光鏡面反射率取得部５４_1と第１鏡面光沢度変換部５６_1とにより、第１鏡面光沢度算出部５７_1が構成され、第２分光鏡面反射率取得部５４_2と第２鏡面光沢度変換部５６_2とにより、第２鏡面光沢度算出部５７_2が構成される。なお、各分光鏡面反射率取得部５４_1，５４_2と各鏡面光沢度変換部５６_1，５６_2の各機能を実行する単一の機能要素で各鏡面光沢度算出部５７_1，５７_2を構成してもよいのは言うまでもない。
【００５７】
また、評価値算出処理部４４は、第１鏡面光沢度変換部５６_1にて得られた正反射光Ｌ21に基づく第１鏡面光沢度ＧＳ１と第２鏡面光沢度変換部５６_2にて得られた正反射光Ｌ22に基づく第２鏡面光沢度ＧＳ２とに基づいて、光沢に関する評価値の一例である写像性を示す評価値ＧＣや光沢むらを示す評価値ＧＵ（纏めて光沢特性評価値ＧＣ，ＧＵともいう）を求める光沢特性評価値取得部７８を有する。
【００５８】
光沢特性評価値取得部７８は、写像性を示す評価値ＧＣを算出する写像性評価値取得部７８GCと、光沢むらを示す評価値ＧＵを算出する光沢むら評価値取得部７８GUとを有している。
【００５９】
図２（Ｂ）に示すように、写像性評価値取得部７８GCは、２つの鏡面光沢度ＧＳ１，ＧＳ２の比を算出する鏡面光沢度比算出部７９GCratio および鏡面光沢度比算出部７９GCratio が求めた鏡面光沢度比を受光開き角で補正する受光開き角補正係数算出部７９GCcompとを有する構成とすることもできるし、２つの鏡面光沢度ＧＳ１，ＧＳ２の差を算出する鏡面光沢度差算出部７９GCdiffを有する構成とすることもできる。
【００６０】
同様に、図２（Ｃ）に示すように、光沢むら評価値取得部７８GUは、２つの鏡面光沢度ＧＳ１，ＧＳ２の比を算出する鏡面光沢度比算出部７９GUratio および鏡面光沢度比算出部７９GUratio が求めた鏡面光沢度比を受光開き角で補正する受光開き角補正係数算出部７９GUcompとを有する構成とすることもできるし、２つの鏡面光沢度ＧＳ１，ＧＳ２の差を算出する鏡面光沢度差算出部７９GUdiffを有する構成とすることもできる。
【００６１】
各受光開き角補正係数算出部７９GCcomp，７９GUcompは、第１受光開き角Φ１と第２受光開き角Φ２の比および鏡面光沢度ＧＳ１からなる関数を利用して受光開き角補正係数を求める。これにより、第１受光開き角Φ１と第２受光開き角Φ２で算出した鏡面光沢度比GCratio と第１受光開き角Φ１と第２受光開き角Φ２とは異なる第１受光開き角Φ３と第２受光開き角Φ４で算出した鏡面光沢度比を比較できる。なお、関数の具体例については特に示さないが、各受光開き角Φ１，Φ２の比と鏡面光沢度ＧＳ１とに関わる関数であれば、どのようなものを用いてもよい。
【００６２】
なお、図中に点線で示すように、各鏡面光沢度算出部５７_1，５７_2と光沢特性評価値取得部７８との間には、正反射光Ｌ21，Ｌ22に基づく鏡面光沢度ＧＳ１，ＧＳ２と主観的な光沢度との関係が線形になるように鏡面光沢度ＧＳ１，ＧＳ２を狭義の光沢指標値ＧＵ１，ＧＵ２に変換する線形変換部７２_1，７２_2を設けてもよい。この場合、光沢特性評価値取得部７８は、この光沢指標値ＧＵ１，ＧＵ２を鏡面光沢度ＧＳ１，ＧＳ２に代えて使用する。
【００６３】
一般に、鏡面光沢度ＧＳと主観的な光沢度との関係は、普通紙のような低光沢領域から写真のような高光沢領域までの幅広い光沢範囲では非線形となる。そこで、各線形変換部７２_1，７２_2における線形変換においては、たとえば“ＧＵ＝ｋ１＊ＧＳ＾ｋ２＋ｋ３”に従った鏡面光沢度のべき乗変換、または“ＧＵ＝ｋ４＊Ｌｏｇ（１＋ｋ５＊ＧＳ）”に従った対数変換を行なう。その際の係数ｋ１〜ｋ５については、予め、使用する光学系で得られた鏡面光沢度ＧＳと官能評価実験で得られた主観的な光沢度との回帰分析から最適な値を求めておく。線形変換処理では、このようにして変換された値を光沢指標値ＧＵ１，ＧＵ２とする。なお、このような線形変換処理を行なう各線形変換部７２_1，７２_2は光沢指標算出部の一例である。
【００６４】
このような構成の信号処理部４０において、図１との対応では、受光信号処理部４２および評価値算出処理部４４の各機能部を受光部３０と信号処理部８の何れに配置するかには自由度がある。ただし、少なくとも正反射光Ｌ21を検知する機能部分である正反射光受光器５２_1，５２_2については受光部３０側に設けられるし、光沢特性評価値取得部７８は信号処理部８側に設けられる。
【００６５】
一例として、正反射光受光器５２_1と分光鏡面反射率取得部５４_1は、図１に示した第１受光部３０_1に対応し、正反射光受光器５２_2と分光鏡面反射率取得部５４_2は、図１に示した第２受光部３０_2に対応するものである。また、各鏡面光沢度変換部５６_1，５６_2や各線形変換部７２_1，７２_2を信号処理部８に備える構成を採る。もちろんこのような配置形態に限らず、たとえば、各鏡面光沢度変換部５６_1，５６_2を受光部３０側に配してもよい。
【００６６】
第１分光鏡面反射率取得部５４_1は、第１受光部３０_1によって得られた受光信号Ｓ11を記憶する第１受光信号記憶部５５_1を内蔵し、第２分光鏡面反射率取得部５４_2は、第２受光部３０_2によって得られた受光信号Ｓ12を記憶する第２受光信号記憶部５５_2を内蔵している。
【００６７】
各鏡面光沢度算出部５７_1，５７_2は、各受光部３０_1，３０_2により検知された受光信号Ｓ１１，Ｓ１２に基づいて光沢特性評価値を求めるための基礎情報としての鏡面光沢度ＧＳ１，ＧＳ２を取得する正反射光基礎情報取得部の一例である。ここで、鏡面光沢度ＧＳ１，ＧＳ２を算出する際の標準面は、たとえば全波長領域における屈折率が１．５６７である黒ガラス表面とする。
【００６８】
第１鏡面光沢度変換部５６_1および第２鏡面光沢度変換部５６_2でなる鏡面光沢度変換部５６は、予め測定された標準面（屈折率が１．５６７の黒ガラス表面）での受光量（受光信号Ｓref ）を記憶する標準受光量記憶部５６_3を有している。
【００６９】
鏡面光沢度変換部５６は、予め測定された標準面（屈折率が１．５６７の黒ガラス表面）での受光量（受光信号Ｓref ）を標準受光量記憶部５６_3に記憶しておき、各鏡面光沢度変換部５６_1，５６_2にて、式（１−１），（１−２）に従って鏡面光沢度ＧＳ１，ＧＳ２を算出する。
【００７０】
【数１】
2007033099.tif 000003
【００７１】
また光沢特性評価値取得部７８において、先ず写像性評価値取得部７８GCの鏡面光沢度比算出部７９GCratio は、第１鏡面光沢度算出部５７_1で得られた第１鏡面光沢度ＧＳ１および第２鏡面光沢度算出部５７_2で得られた第２鏡面光沢度ＧＳ２の比を式（２−１）に従って算出し、これを写像性を示す評価値（写像性評価値）ＧＣとする。なお、写像性を示す評価値ＧＣは、このような算出手法に限らず、たとえば鏡面光沢度差算出部７９GCdiffにて、２つの鏡面光沢度ＧＳ１，ＧＳ２の差を式（２−２）に従って算出し、これを写像性を示す評価値ＧＣとしてもよい。
【００７２】
【数２】
2007033099.tif 000004
【００７３】
一方、光沢むら評価値取得部７８GUは、鏡面光沢度比算出部７９GUratio にて、第１鏡面光沢度算出部５７_1で得られた第１鏡面光沢度ＧＳ１および第２鏡面光沢度算出部５７_2で得られた第２鏡面光沢度ＧＳ２の比を式（３−１）に従って算出し、これを光沢むらを示す評価値（光沢むら評価値）ＧＵとする。なお、光沢むらを示す評価値ＧＵは、このような算出手法に限らず、たとえば鏡面光沢度差算出部７９GUdiffにて、２つの鏡面光沢度ＧＳ１，ＧＳ２の差を式（３−２）に従って算出し、これを光沢むらを示す評価値ＧＵとしてもよい。
【００７４】
【数３】
2007033099.tif 000005
【００７５】
光沢特性評価値取得部７８についての上記説明から分かるように、写像性評価値取得部７８GCと光沢むら評価値取得部７８GUとは、２つの鏡面光沢度ＧＳ１，ＧＳ２に基づいて比や差を取ることで評価値ＧＣ，ＧＵを算出するが、何れを分子にし分母にするかや、何れから何れを差し引くかが、それぞれ異なる。この相違は、各評価値ＧＣ，ＧＵの観点が異なることに起因しているのである。
【００７６】
なお、図２に示す基本構成例の場合には、正反射光Ｌ21についての信号処理系統をなす第１正反射光信号処理部５０_1と、正反射光Ｌ22についての信号処理系統をなす第２正反射光信号処理部５０_1とを別々に用意していたが、たとえば、図３に示す変形例のように、第１正反射光受光器５２_1および第２正反射光受光器５２_2の後段に２入力−１出力型の切替スイッチ５３_1を設けることで、それ以降の機能部を１つにすることもできる。この場合、切替スイッチ５３_1は、制御信号ＣＮ１がアクティブのときには第１正反射光受光器５２_1の出力を選択して分光鏡面反射率取得部５４に渡し、制御信号ＣＮ２がアクティブのときには第２正反射光受光器５２_2の出力を選択して分光鏡面反射率取得部５４に渡すようにすればよい。
【００７７】
＜評価値算出処理の手順；第１実施形態＞
図４は、第１実施形態の構成における、評価値算出処理の手順の一例を示すフローチャートである。すなわちここでは、それぞれ異なる光源（第１光源部１０_1および第２光源部１０_2）から発せられた照明光Ｌ11，Ｌ12に基づく正反射光Ｌ21，Ｌ22を、それぞれ異なる受光部（第１受光部３０_1および第２受光部３０_2）を使用して検出することとする。
【００７８】
先ず、被測定物３を支持台６の所定位置に載置し（Ｓ１００）、支持台６を支持台駆動部７により駆動して、第１光源部１０_1や第２光源部１０_2から発せられる光線Ｌ11，Ｌ12が被測定物３を照射する位置（測定ポイントｚ）に被測定物３をセットする（Ｓ１０２）。この後、第１光源部１０_1や第２光源部１０_2で被測定物３の測定ポイントｚを投光し、これによって得られる被測定物３からの反射光量の測定を開始する。正反射光Ｌ21と正反射光Ｌ22との何れを先に測定するかは自由であるが、ここでは正反射光Ｌ21の測定を先に行なうものとして説明を続ける。
【００７９】
光学系制御部５は、正反射光Ｌ21を測定するための光源である第１光源部１０_1に入力されている制御信号ＣＮ１をアクティブにして、第１光源部１０_1から照明光Ｌ11を発せさせ入射角θ１で被測定物３に照射する（Ｓ１１０）。これを受けて、対応する第１受光部３０_1（具体的には第１正反射光受光器５２_1）にて、被測定物３にて反射された正反射光Ｌ21を受光し、この受光により得た受光データＳ11を第１受光信号記憶部５５_1の所定の記憶領域に記憶する（Ｓ１１２）。このとき、第１光源部１０_1からの照明光Ｌ11が被測定物３の適正な測定ポイントｚに照射されるよう、支持台駆動部７にて支持台６を適度に移動させ、複数ポイントのデータを取得し、その平均値などを受光データＳ11として用いるとよい。
【００８０】
第１分光鏡面反射率取得部５４_1は、第１正反射光受光器５２_1により得られた受光データＳ11に基づき分光鏡面反射率データＳ21を取得し（Ｓ１１４）、第１鏡面光沢度変換部５６_1は、分光鏡面反射率データＳ21を第１鏡面光沢度ＧＳ１に変換し、この第１鏡面光沢度ＧＳ１を所定の記憶装置の所定の記憶領域に記憶する（Ｓ１１６）。以上で正反射光Ｌ21についての受光開き角Φ１での測定や計算処理が完了する。
【００８１】
次に、光学系制御部５は、正反射光Ｌ22を測定するための光源である第２光源部１０_2に入力されている制御信号ＣＮ２をアクティブにして、第２光源部１０_2から照明光Ｌ12を発せさせ入射角θ２で被測定物３に照射する（Ｓ１２０）。これを受けて、対応する第２受光部３０_2（具体的には第２正反射光受光器５２_2）にて、被測定物３にて反射された正反射光Ｌ22を受光し、この受光により得た受光データＳ12を第２受光信号記憶部５５_2の所定の記憶領域に記憶する（Ｓ１２２）。このとき、第２光源部１０_2からの照明光Ｌ12が被測定物３の適正な測定ポイントｚに照射されるよう、支持台駆動部７にて支持台６を適度に移動させ、複数ポイントのデータを取得し、その平均値などを受光データＳ12として用いるとよい。
【００８２】
第２分光鏡面反射率取得部５４_2は、第２正反射光受光器５２_2により得られた受光データＳ12に基づき分光鏡面反射率データＳ22を取得し（Ｓ１２４）、第２鏡面光沢度変換部５６_2は、分光鏡面反射率データＳ22を第２鏡面光沢度ＧＳ２に変換し、この第２鏡面光沢度ＧＳ２を所定の記憶装置の所定の記憶領域に記憶する（Ｓ１２６）。以上で正反射光Ｌ22についての受光開き角Φ２での測定や計算処理が完了する。
【００８３】
正反射光Ｌ21についての受光開き角Φ１での測定や計算処理と正反射光Ｌ22についての受光開き角Φ２での測定や計算処理が完了すると、光沢特性評価値取得部７８は、ステップＳ１１８にて求めた第１光沢指標値ＧＳ１とステップＳ１２８にて求めた第２光沢指標値ＧＳ２とを使用して、上述した式（２−１）や式（２−２）に従って視感と対応の取れた写像性を示す評価値ＧＣを算出し、あるいは上述した式（３−１）や式（３−２）に従って光沢むらを示す評価値ＧＵを算出し、これらの光沢特性評価値ＧＣ，ＧＵを所定の記憶装置の所定の記憶領域に記憶する（Ｓ１３０）。
【００８４】
なお、後でも述べるが、正反射光Ｌ21，Ｌ22についての基礎情報である各鏡面光沢度ＧＳ１，ＧＳ２の取得に関しては、図２に示した光沢特性評価装置１のハードウェア構成によることに限らず、既製の測定器を用いて人手を介して取得することも可能である。たとえば、鏡面光沢度ＧＳ１，ＧＳ２に関しては汎用的（市場で入手可能）な光沢度計を用いることができる。
【００８５】
この場合、これらの測定器により取得したデータは、人手（テンキーを利用）により評価値算出処理部４４に入力する手法を採用できるし、また、ＲＳ−２３２Ｃなどのインタフェースを利用することで、測定器から自動的に取り込む態様とすることもできる。後者は、パソコンなどの電子計算機を利用して評価値算出処理部４４を構築するのに都合がよい。
【００８６】
また、測定器により取得したデータを評価値算出処理部４４に入力して写像性を示す評価値ＧＣや光沢むらを示す評価値ＧＵを自動的に求めることに限らず、式（２−１），（２−２），（３−１），（３−２）から分かるように、光沢特性評価値ＧＣ，ＧＵの算出式は極めて簡単なものであり、データ取得者（もしくはその他の者）が電卓（Calculator）などの算術手段を用いて計算してもよいし、場合によっては暗算で光沢特性評価値ＧＣ，ＧＵを算出することも可能である。
【００８７】
＜実施例１＞
図５は、第１実施形態の構成により、所定の被測定物３を測定対象として写像性を示す評価値（写像性評価値）ＧＣを算出した結果（実施例１）を説明する図である。ここでは、光学部（第１光源部１０_1および第２光源部１０_2）の幾何条件（受光開き角Φ１，Φ２、入射角θ１，θ２、反射角θ１，θ２）を変えて同一の被測定物３の写像性評価値ＧＣを求めた結果と、被測定物３の写像性を主観評価した結果との相関の一例を示している。
【００８８】
ここで、図５（Ａ）は幾何条件Ａで写像性評価値ＧＣを求めた結果であり、図５（Ｂ）は幾何条件Ｂで写像性評価値ＧＣを求めた結果である。幾何条件Ａは、受光開き角Φ１＝１．８度、入射角θ１（反射角θ１）＝２０度、受光開き角Φ２＝４．４度、入射角θ２（反射角θ２）＝６０度で、幾何条件Ｂは、受光開き角Φ１＝４．０度、入射角θ１（反射角θ１）＝８５度、受光開き角Φ２＝１１．５度、入射角θ２（反射角θ２）＝７５度である。
【００８９】
写像性（主観値）は、数値が高いほど被測定物３の写像性が高い、すなわち映り込んだ光源の鮮明さが高いことを示している。測定対象の被測定物３は、一例として、インクジェット方式を用いた印刷方式と銀塩写真方式の画像形成装置で形成された高光沢画像である。
【００９０】
図５（Ａ）に示すように、幾何条件Ａでの写像性評価値ＧＣと写像性（主観値）との相関は非常に高く、寄与率Ｒ２は、０．８２９となっている。一方、図５（Ｂ）に示すように、幾何条件Ｂでは両者の相関が負となり、寄与率Ｒ２も０．５９５と低い。幾何条件Ａと幾何条件Ｂとでは、受光開き角Φ１，Φ２と入射角θ１，θ２（対応する反射角θ１，θ２も）が大きく異なる。
【００９１】
ここで、本願発明者の検討の結果、受光開き角Φ２が受光開き角Φ１の２倍以上ある場合、入射角θ１，θ２（対応する反射角θ１，θ２）の違いが写像性（主観値）との相関に大きく影響することが分かった。具体的には、写像性を示す評価値を算出する場合、本実施形態の構成により入射角θ１，θ２（対応する反射角θ１，θ２）が６０度以下の小さい角度の幾何条件で写像性評価値ＧＣを求めれば視感との相関が高くなることが分かった。
【００９２】
つまり、写像性を示す評価値ＧＣを算出するに当たっては、光沢特性評価装置１における幾何条件として、先ず受光開き角Φ１，Φ２の大きさは、受光開き角Φ２が受光開き角Φ１の２倍以上であるように設定することが望ましく、また、入射角θ１および入射角θ２（反射角θ１および反射角θ２）が６０度以下であるように設定することが望ましいということになる。
【００９３】
＜実施例２＞
図６は、第１実施形態の構成により、所定の被測定物３を測定対象として光沢むらを示す評価値（光沢むら評価値）ＧＵを算出した結果（実施例２）を説明する図である。ここでは、光学部（第１光源部１０_1および第２光源部１０_2）の幾何条件（受光開き角Φ１，Φ２、入射角θ１，θ２、反射角θ１，θ２）を変えて同一の被測定物３の光沢むら評価値ＧＵを求めた結果と、被測定物３の光沢むらを主観評価した結果との相関の一例を示している。
【００９４】
ここで、図６（Ａ）は幾何条件Ａで光沢むら評価値ＧＵを求めた結果であり、図６（Ｂ）は幾何条件Ｂで光沢むら評価値ＧＵを求めた結果である。実施例１と同様に、幾何条件Ａは、受光開き角Φ１＝１．８度、入射角θ１（反射角θ１）＝２０度、受光開き角Φ２＝４．４度、入射角θ２（反射角θ２）＝６０度で、幾何条件Ｂは、受光開き角Φ１＝４．０度、入射角θ１（反射角θ１）＝８５度、受光開き角Φ２＝１１．５度、入射角θ２（反射角θ２）＝７５度である。
【００９５】
光沢むら（主観値）は、数値が高いほど被測定物３の光沢むらが高い、すなわち正反射光の均一さが悪いことを示している。測定対象の被測定物３は、実施例１と同様に、一例として、インクジェット方式を用いた印刷方式と銀塩写真方式の画像形成装置で形成された高光沢画像である。
【００９６】
図６（Ｂ）に示すように、幾何条件Ｂでの光沢むら評価値ＧＵと光沢むら（主観値）との相関は非常に高く、寄与率Ｒ２は、０．８４５となっている。一方、図６（Ａ）に示すように、幾何条件Ａでは両者の相関は非常に低く、寄与率Ｒ２は０．０３７である。
【００９７】
ここで、本願発明者の検討の結果、受光開き角Φ２が受光開き角Φ１の２倍以上ある場合、入射角θ１，θ２（対応する反射角θ１，θ２）の違いが光沢むら（主観値）との相関に大きく影響することが分かった。具体的には、光沢むらを示す評価値ＧＵを算出する場合、本実施形態の構成により入射角θ１，θ２（対応する反射角θ１，θ２）が７５度以上の大きい角度の幾何条件で光沢むら評価値ＧＵを求めれば、視感との相関が高くなることが分かった。
【００９８】
つまり、光沢むらを示す評価値ＧＵを算出するに当たっては、光沢特性評価装置１における幾何条件として、先ず受光開き角Φ１，Φ２の大きさは、受光開き角Φ２が受光開き角Φ１の２倍以上であるように設定することが望ましく、また、入射角θ１および入射角θ２（反射角θ１および反射角θ２）が７５度以上であるように設定することが望ましいということになる。
【００９９】
このように、第１実施形態の光沢特性評価装置１によれば、それぞれ異なる入射角で被測定物を照射し、それに対応したそれぞれ異なる物体表面からの正反射光をそれぞれ異なる受光開き角で受光し、受光した２つの信号から２つの鏡面光沢度（もしくは狭義の光沢指標値；鏡面光沢度と纏めて広義の光沢指標値ともいう）を算出し、２つの鏡面光沢度などに基づいて物体表面の写像性や光沢むらに関する評価値を算出しているので、装置構成が複雑にならず簡易に視感と対応の取れた写像性や光沢むらを評価でき、かつ安価な測定装置で写像性や光沢むらを評価することができる。物体表面からの正反射光を撮像するＣＣＤカメラが不要であり測定装置を低価で実現できるし、光沢特性評価値ＧＣ，ＧＵを求める演算は極めて簡単であり、簡易に評価値を算出することができるからである。
【０１００】
なお、上記第１実施形態の光沢特性評価装置１においては、受光開き角Φ１，Φ２や入射角θ１および入射角θ２（反射角θ１および反射角θ２）は固定的なものであり、実施例１，２から分かるように、写像性を示す評価値ＧＣを求めるのかや光沢むらを示す評価値ＧＵを求めるのかに応じて、予め、受光開き角Φ１，Φ２や入射角θ１および入射角θ２（反射角θ１および反射角θ２）をそれぞれ前述した適正値に設定しておく必要があり、１つの装置では、写像性評価値ＧＣおよび光沢むら評価値ＧＵの何れか一方のみしか求めることができない。この点は後述する第３実施形態の光沢特性評価装置１と異なる点である。
【０１０１】
ただし、この第１実施形態の構成は、それぞれ異なる複数の受光開き角で正反射光を検出する仕組みとして、それぞれ異なる複数の受光開き角に設定されかつそれぞれ異なる反射角で配置された個別の受光部と、これら個別の受光部の反射角に対応するそれぞれ異なる入射角で配置された個別の光源部を使用するもので、最も基本となるものである。
【０１０２】
＜光沢特性評価装置の構成；第２実施形態＞
図７は、本発明に係る光沢特性評価装置の第２実施形態の全体構成の概略を示す図である。この第２実施形態の光沢特性評価装置１は、所定の入射角で被測定物を照射し、それに対応した正反射光をそれぞれ異なる受光開き角で検出する仕組みとして、所定の入射角で被測定物を照射する１つの光源と、受光開き角を任意に調整可能な受光部を備える点に特徴を有している。以下、第１実施形態の光沢特性評価装置１との相違点を中心に具体的に説明する。
【０１０３】
第２実施形態の光沢特性評価装置１における光学部４は、所定の入射角θで被測定物３を照射し、それに対応した正反射光をそれぞれ異なる受光開き角Φ１，Φ２で検出する仕組みとして、先ず、光源部１０は、被測定物３に入射角θで照明光（測定光）Ｌ10を照射する１つの光源部を備えて構成されているとともに、受光部３０は、被測定物３にて反射された反射光のうちの入射角θに対応する反射角θの正反射光成分Ｌ20を受光する１つの受光部を備えて構成されている。
【０１０４】
ここで、第２実施形態の受光部３０は、受光開き角を任意に調整可能な構成とするべく、テレセントリックレンズ３２の焦点位置に位置する受光絞り３４の開口面積を任意に可変でき、光学系制御部５から入力される制御信号ＣＮ１，ＣＮ２に応じて、受光開き角Φを変えることができるようになっている点に大きな特徴を有している。ここでは、受光開き角を調整可能な機構についての具体的な仕組みの詳細については説明を割愛するが、絞り可変機構を用いるなど、受光開き角を調整できるものである限り、公知の様々な手法を任意に適用することができる。
【０１０５】
たとえば受光絞り３４は、制御信号ＣＮ１がアクティブのときには第１受光開き角Φ１となるように開口面積を調整し、制御信号ＣＮ２がアクティブのときには第２受光開き角Φ２となるように開口面積を調整する。こうすることで、１つの受光部３０を用いながら、実質的に、第１実施形態の光沢特性評価装置１と同じように、所定の入射角で被測定物を照射し、それに対応した正反射光をそれぞれ異なる受光開き角で検出する仕組みを実現しているのである。
【０１０６】
なお、第１実施形態の光沢特性評価装置１では、それぞれ異なる受光開き角を設定するに当たり、それぞれ異なる入射角および反射角を使用していたが、この第２実施形態では、１つの光源部１０を用いることで、各受光開き角Φ１，Φ２に対して共通の入射角および反射角を使用する。
【０１０７】
なお、入射角θやそれに対応する反射角θや各受光開き角Φ１，Φ２は、写像性を示す評価値ＧＣや光沢むらを示す評価値ＧＵを算出するのに好適な角度が設定される。この点は、第１実施形態と同様である。
【０１０８】
すなわち、写像性を示す評価値ＧＣを算出するに当たっては、第２実施形態の光沢特性評価装置１における幾何条件として、先ず受光開き角Φ１，Φ２の大きさは、受光開き角Φ２が受光開き角Φ１の２倍以上であるように設定することが望ましく、また、入射角θが６０度以下であるように設定することが望ましいということになる。また、光沢むらを示す評価値ＧＵを算出するに当たっては、第２実施形態の光沢特性評価装置１における幾何条件として、先ず受光開き角Φ１，Φ２の大きさは、受光開き角Φ２が受光開き角Φ１の２倍以上であるように設定することが望ましく、また、入射角θ（反射角θ）が７５度以上であるように設定することが望ましいということになる。
【０１０９】
＜信号処理系統の詳細；第２実施形態＞
図８および図９は、第２実施形態の光沢特性評価装置１における信号処理系統の一構成例（第２実施形態の信号処理部４０という）を説明する図である。ここで、図８は、第２実施形態の信号処理系統の基本構成例を示し、図９は、その変形例を示す。先ず、図８に示す基本構成例と第１実施形態の基本構成例との相違点について説明する。
【０１１０】
図８に示すように、第２実施形態の信号処理部４０は、１つの正反射光受光器５２と、その正反射光受光器５２の出力を第１分光鏡面反射率取得部５４_1および第２分光鏡面反射率取得部５４_2の何れか一方に選択して出力する１入力−２出力型の切替スイッチ５３_2を備えている。
【０１１１】
切替スイッチ５３_2は、制御信号ＣＮ１がアクティブのときには正反射光受光器５２の出力を選択して第１分光鏡面反射率取得部５４_1に渡し、制御信号ＣＮ２がアクティブのときには正反射光受光器５２の出力を選択して第２分光鏡面反射率取得部５４_2に渡すように構成されている。こうすることで、実質的に、第１実施形態の基本構成と同じように、正反射光Ｌ21についての信号処理系統をなす第１正反射光信号処理部５０_1と、正反射光Ｌ22についての信号処理系統をなす第２正反射光信号処理部５０_1とを別々に用意するようにしている。
【０１１２】
なお、図８に示す基本構成例の場合には、正反射光Ｌ21についての信号処理系統をなす第１正反射光信号処理部５０_1と、正反射光Ｌ22についての信号処理系統をなす第２正反射光信号処理部５０_1とを別々に用意していたが、たとえば、図９に示す変形例のように、切替スイッチ５３_2を割愛することで、それ以降の機能部を１つにすることもできる。１つの光源部１０で被測定物３に入射角θで照明光（測定光）Ｌ10を照射し、被測定物３にて反射された反射角θの正反射光成分Ｌ20を１つの受光部３０で受光する第２実施形態の光沢特性評価装置１としては、この変形例の構成の方が取扱いが簡単である利点がある。
【０１１３】
＜評価値算出処理の手順；第２実施形態＞
図１０は、第２実施形態の構成における、評価値算出処理の手順の一例を示すフローチャートである。すなわちここでは、単一の光源（光源部１０）から発せられた照明光Ｌ10に基づく正反射光Ｌ20を、受光開き角Φを変えながら、単一の受光部（受光部３０）を使用して検出することとする。以下、第１実施形態の光沢特性評価装置１との相違点を中心に説明する。なお、ステップ番号は２００番台で示し、１０番台および１番台は第１実施形態と対応するものとして示す。
【０１１４】
光学系制御部５は、正反射光Ｌ20を測定するための光源である光源部１０に入力されている制御信号ＣＮ１をアクティブにして、光源部１０から照明光Ｌ10を発せさせ入射角θで被測定物３に照射する（Ｓ２１０）。これを受けて、受光部３０（具体的には正反射光受光器５２）にて、制御信号ＣＮ１に応じて設定した受光開き角Φ１で、被測定物３にて反射された正反射光Ｌ20を受光し、この受光により得た受光データＳ11を第１受光信号記憶部５５_1の所定の記憶領域に記憶する（Ｓ２１２）。以下、第１実施形態と同様にして、正反射光Ｌ20についての受光開き角Φ１での測定や計算処理を完了させる。
【０１１５】
次に、光学系制御部５は、正反射光Ｌ20を測定するための光源部１０に入力されている制御信号ＣＮ２をアクティブにして、光源部１０から照明光Ｌ10を発せさせ入射角θで被測定物３に照射する（Ｓ２２０）。これを受けて、受光部３０（具体的には正反射光受光器５２）にて、制御信号ＣＮ２に応じて設定した受光開き角Φ２で、被測定物３にて反射された正反射光Ｌ20を受光し、この受光により得た受光データＳ12を第２受光信号記憶部５５_2の所定の記憶領域に記憶する（Ｓ２２２）。以下、第１実施形態と同様にして、正反射光Ｌ20についての受光開き角Φ２での測定や計算処理を完了させる。
【０１１６】
以下、第１実施形態と同様にして、光沢特性評価値取得部７８は、第１光沢指標値ＧＳ１と第２光沢指標値ＧＳ２とを使用して、上述した式（２−１）や式（２−２）に従って視感と対応の取れた写像性を示す評価値ＧＣを算出し、あるいは上述した式（３−１）や式（３−２）に従って光沢むらを示す評価値ＧＵを算出し、これらの光沢特性評価値ＧＣ，ＧＵを所定の記憶装置の所定の記憶領域に記憶する（Ｓ２３０）。
【０１１７】
このように、第２実施形態の光沢特性評価装置１によれば、単一の入射角で被測定物を照射し、それに対応した物体表面からの正反射光を単一の受光部を使用しつつ異なる受光開き角で受光し、受光した２つの信号から２つの鏡面光沢度や狭義の光沢指標値を算出し、２つの鏡面光沢度などに基づいて物体表面の写像性や光沢むらに関する評価値を算出しているので、第１実施形態と同様に、装置構成が複雑にならず簡易に視感と対応の取れた写像性や光沢むらを評価でき、かつ安価な測定装置で写像性や光沢むらを評価することができる。
【０１１８】
特に、この第２実施形態では、光源部１０と受光部３０とをそれぞれ１つ使用しているので、受光部３０としては受光開き角を可変する機構が必要ではあるもの、第１実施形態よりもさらにコンパクトにできる利点がある。
【０１１９】
なお、この第２実施形態の光沢特性評価装置１においても、受光開き角Φ１，Φ２や入射角θ（対応する反射角θ）は固定的なものであり、第１実施形態と同様に、写像性を示す評価値ＧＣを求めるのかや光沢むらを示す評価値ＧＵを求めるのかに応じて、予め、受光開き角Φ１，Φ２や入射角θ（対応する反射角θ）をそれぞれ前述した適正値に設定しておく必要があり、１つの装置では、写像性評価値ＧＣおよび光沢むら評価値ＧＵの何れか一方のみしか求めることができない。この点は後述する第３実施形態の光沢特性評価装置１と異なる点である。
【０１２０】
＜光沢特性評価装置の構成；第３実施形態＞
図１１および図１２は、本発明に係る光沢特性評価装置の第３実施形態の全体構成の概略を示す図である。ここで、図１１は、第３実施形態の光沢特性評価装置の基本構成例を示し、図１２は、その変形例を示す。第３実施形態の光沢特性評価装置１は、１つの装置で、写像性評価値ＧＣおよび光沢むら評価値ＧＵの双方を求めることができるようにした点に特徴を有している。先ず、図１１に示す基本構成例に基づいて説明する。
【０１２１】
前述の第１および第２の各実施形態の説明から分かるように、写像性を示す評価値ＧＣを求めるための光学系の適正な幾何条件（特に入射角θや対応する反射角θ）と、光沢むらを示す評価値ＧＵを求めるための光学系の適正な幾何条件（特に入射角θや対応する反射角θ）とが異なるので、１つの装置で光沢特性評価値ＧＣ，ＧＵを求めることができるようにするには、２つの幾何条件、特にそれぞれ異なる入射角θや対応する反射角θとして、写像性評価値ＧＣの測定時は６０度以下、光沢むら評価値ＧＵの測定時は７５度以上を満たす装置構成が必要となる。
【０１２２】
そのためには、たとえば図１１に示すように、第２実施形態の光源部１０と受光部３０がそれぞれ異なる角度θ１，θ２で２つ配置された構成を採用することが考えられる。もちろん、第１実施形態の光源部１０と受光部３０がそれぞれ２つ配置された構成を採用することも考えられるが、この場合、光源部と受光部が事実上それぞれ４つ配置された構成が必要となり、装置構成が大掛かりになるだけでなく、実装も困難となるので、採用は現実的なでないと言える。
【０１２３】
図１１に示すような構成の場合、装置構成の概要としては、第１実施形態の構成と概ね同じになるが、受光部３０が、第２実施形態の受光部３０と同様に受光開き角を任意に調整可能な構成となっている。
【０１２４】
すなわち、第３実施形態の第１受光部３０_1および第２受光部３０_2は、受光開き角を任意に調整可能な構成とするべく、テレセントリックレンズ３２_1，３２_2の焦点位置に位置する受光絞り３４_1，３４_2の開口面積を任意に可変でき、光学系制御部５から入力される制御信号ＣＮ１，ＣＮ２に応じて、受光開き角Φを変えることができるようになっている点に大きな特徴を有している。
【０１２５】
光学系制御部５は、受光開き角Φ１での検知をアクティブとする制御信号ＣＮ１および受光開き角Φ２での検知をアクティブとする制御信号ＣＮ２を、各光源部１０_1，１０_2および各受光部３０_1，３０_2に出力するようになっている。各受光部３０_1，３０_2は、制御信号ＣＮ１がアクティブのときには受光開き角をΦ１に設定し、制御信号ＣＮ２がアクティブのときには受光開き角をΦ２に設定するようになっている。
【０１２６】
すなわち、各受光絞り３４_1，３４_2は、制御信号ＣＮ１がアクティブのときには第１受光開き角Φ１となるように開口面積を調整し、制御信号ＣＮ２がアクティブのときには第２受光開き角Φ２となるように開口面積を調整する。こうすることで、各受光絞り３４_1，３４_2は、１つの受光部（フォトセンサ３６_1，３６_2）を用いながら、第１実施形態の光沢特性評価装置１と実質的に同じように、所定の入射角で被測定物を照射し、それに対応した正反射光をそれぞれ異なる受光開き角で検出する仕組みを実現している。なお、各受光開き角Φ１，Φ２は、写像性を示す評価値ＧＣや光沢むらを示す評価値ＧＵを算出するのに好適な角度が設定される。この点は、第１および第２の各実施形態と同様である。
【０１２７】
また、第１入射角θ１での照明光Ｌ11の照明時の受光開き角Φ１，Φ２での第１受光部３０_1における検知と、第２入射角θ２での照明光Ｌ12の照明時の受光開き角Φ１，Φ２での第２受光部３０_2における検知とが緩衝し合わないように、時分割で照明光Ｌ11，Ｌ12を被測定物３に照射するようにするのが好ましい点は第１実施形態とほぼ同様である。
【０１２８】
この制御のため、光学系制御部５から各光源部１０_1，１０_2には、写像性を示す評価値ＧＣを求めるのかや光沢むらを示す評価値ＧＵを求めるのかに応じて第１光源部１０_1および第２光源部１０_2の何れか一方を動作させるための制御信号ＣＮ３が入力されている。一例として、制御信号ＣＮ３がインアクティブのときには第１光源部１０_1から照明光Ｌ11を発し、制御信号ＣＮ３がアクティブのときには第２光源部１０_2から照明光Ｌ12を発するようにする。
【０１２９】
また、第３実施形態の光沢特性評価装置１では、それぞれ異なる受光開き角Φ１、Φ２を設定するに当たり、１つの光源部を用いることで共通の入射角および反射角を使用する点では第２実施形態と同じであるが、入射角θやそれに対応する反射角θは、第１および第２の各実施形態と同様に、写像性を示す評価値ＧＣや光沢むらを示す評価値ＧＵを算出するのに好適な入射角θ１，θ２（対応する反射角θ１，θ２）が設定される。
【０１３０】
一例として、第１実施形態と同様に、第１光源部１０_1には入射角θ１が設定され、対応する第１受光部３０_1には反射角θ１が設定され、第２光源部１０_2には入射角θ２が設定され、対応する第２受光部３０_2には反射角θ２が設定される。
【０１３１】
すなわち、写像性を示す評価値ＧＣを算出するに当たっては、第３実施形態の光沢特性評価装置１における幾何条件として、先ず受光開き角Φ１，Φ２の大きさは、受光開き角Φ２が受光開き角Φ１の２倍以上であるように設定することが望ましく、また、入射角θ１が６０度以下であるように設定することが望ましいということになる。また、光沢むらを示す評価値ＧＵを算出するに当たっては、第２実施形態の光沢特性評価装置１における幾何条件として、先ず受光開き角Φ１，Φ２の大きさは、受光開き角Φ２が受光開き角Φ１の２倍以上であるように設定することが望ましく、また、入射角θ２（反射角θ２）が７５度以上であるように設定することが望ましいということになる。
【０１３２】
こうすることで、入射角や反射角が小さい方（入射角θ１，反射角θ１）の第１光源部１０_1および第１受光部３０_1を動作させることで、第２実施形態と同様に、単一の入射角θ１で被測定物を照射し、それに対応した物体表面からの正反射光を単一の受光部を使用しつつ異なる受光開き角で受光し、受光した２つの信号から２つの鏡面光沢度や狭義の光沢指標値を算出し、２つの鏡面光沢度などに基づいて物体表面の写像性に関する評価値ＧＣを算出することができる。
【０１３３】
また、入射角や反射角が大きい方（入射角θ２，反射角θ２）の第２光源部１０_2および第２受光部３０_2を動作させることで、第２実施形態と同様に、単一の入射角θ２で被測定物を照射し、それに対応した物体表面からの正反射光を単一の受光部を使用しつつ異なる受光開き角で受光し、受光した２つの信号から２つの鏡面光沢度や狭義の光沢指標値を算出し、２つの鏡面光沢度などに基づいて物体表面の光沢むらを示す評価値ＧＵを算出することができる。
【０１３４】
このような第３実施形態の基本構成の光沢特性評価装置１における信号処理系統の構成例としては、図示を割愛するが、概ね、第１実施形態の信号処理部４０と同様のものを使用することができる。
【０１３５】
＜第３実施形態の変形例＞
なお、図１１に示す構成は、１つの測定装置で写像性評価値ＧＣと光沢むら評価値ＧＵを算出するための一構成例を示したに過ぎず、たとえば、光源部１０と受光部３０とを、それぞれ異なる入射角や対応する反射角を設定する仕組みとして、図１２に示す変形例のように、入射角や対応する反射角を連動して任意に調整可能な可動機構を備えるようにすることもできる。ここで“連動して”とは、法線Ｎに対して入射角と反射角とが最終的に同一角度になるようにすることを意味し、入射角と反射角とを同時に変更することを必須とはしない。
【０１３６】
図１２に示すような構成の場合、装置構成の概要としては、第２実施形態の構成と概ね同じになるが、各光源部１０_1，１０_2および各受光部３０_1，３０_2が、入射角や対応する反射角を制御信号ＣＮ３に基づいて連動して調整可能な構成となっている。ここでは、入射角や反射角を調整可能な可動機構についての具体的な仕組みの詳細については説明を割愛するが、カム機構を用いるなど、入射角と反射角とを調整できるものである限り、公知の様々な手法を任意に適用することができる。
【０１３７】
すなわち、第３実施形態の変形例の構成においては、各光源部１０_1，１０_2および各受光部３０_1，３０_2は、入射角や対応する反射角を連動して調整するため、光学系制御部５から各光源部１０_1，１０_2には、写像性を示す評価値ＧＣを求めるのかや光沢むらを示す評価値ＧＵを求めるのかに応じて第１光源部１０_1および第２光源部１０_2の何れか一方を動作させるための制御信号ＣＮ３が入力されている。一例として、制御信号ＣＮ３がインアクティブのときには写像性を示す評価値ＧＣを求めるのに最適な入射角θ１および反射角θ１に設定し、制御信号ＣＮ３がアクティブのときには光沢むらを示す評価値ＧＵを求めるのに最適な入射角θ２および反射角θ２に設定する。
【０１３８】
このような変形例を採用すれば、光源部と受光部とをそれぞれ１つにすることができ、入射角や対応する反射角を可変する機構が必要ではあるもの、図１１に示す基本構成よりもさらにコンパクトにできる利点がある。
【０１３９】
このような第３実施形態の変形構成の光沢特性評価装置１における信号処理系統の構成例としては、図示を割愛するが、概ね、第２実施形態の信号処理部４０と同様のものを使用することができる。
【０１４０】
＜評価値算出処理の手順；第３実施形態＞
図１３は、第３実施形態の構成における、評価値算出処理の手順の一例を示すフローチャートである。ここでは、それぞれ異なる入射角θ１，θ２に設定されている２つの光源（光源部１０_1，１０_2）から発せられた照明光Ｌ11，Ｌ12に基づく正反射光Ｌ21，Ｌ21を、それぞれ異なる反射角θ１，θ２に設定されている２つの受光部３０_1，３０_2の何れかにおいて、それぞれ受光開き角Φを変えながら検出することとする。以下、第２実施形態の光沢特性評価装置１との相違点を中心に説明する。
【０１４１】
なお、写像性評価値ＧＣの測定に関わるステップ番号は３００番台で示し、また光沢むら評価値ＧＵの測定に関わるステップ番号は４００番台で示し、それぞれ１０番台および１番台は第１および第２の各実施形態と対応するものとして示す。なお、ステップ３１０以前については、写像性評価値ＧＣの測定と光沢むら評価値ＧＵの測定とで共通である。
【０１４２】
写像性評価値ＧＣの測定を行なう場合（Ｓ３０４−ＧＣ）、光学系制御部５は、受光開き角Φ１での検知をアクティブとする制御信号ＣＮ１をアクティブにするとともに入射角および反射角を所定角度に設定するための制御信号ＣＮ３をインアクティブにして、第１光源部１０_1から照明光Ｌ11を発せさせ入射角θ１で被測定物３に照射する（Ｓ３１０）。これを受けて、第１受光部３０_1（具体的には正反射光受光器５２_1）にて、制御信号ＣＮ１に応じて設定した受光開き角Φ１で、被測定物３にて反射された正反射光Ｌ21を反射角θ１で受光し、この受光により得た受光データＳ11を第１受光信号記憶部５５_1の所定の記憶領域に記憶する（Ｓ３１２）。以下、第１および第２の各実施形態と同様にして、正反射光Ｌ21についての受光開き角Φ１での測定や計算処理を完了させる。
【０１４３】
次に、光学系制御部５は、受光開き角Φ２での検知をアクティブとする制御信号ＣＮ２をアクティブにするとともに入射角および反射角を所定角度に設定するための制御信号ＣＮ３をインアクティブにして、第２光源部１０_2から照明光Ｌ12を発せさせ入射角θ１で被測定物３に照射する（Ｓ３２０）。これを受けて、第２受光部３０_2（具体的には正反射光受光器５２_2）にて、制御信号ＣＮ２に応じて設定した受光開き角Φ２で、被測定物３にて反射された正反射光Ｌ21を反射角θ１で受光し、この受光により得た受光データＳ12を第２受光信号記憶部５５_2の所定の記憶領域に記憶する（Ｓ３２２）。以下、第１および第２の各実施形態と同様にして、正反射光Ｌ21についての受光開き角Φ２での測定や計算処理を完了させる。
【０１４４】
以下、第１および第２の各実施形態と同様に、光沢特性評価値取得部７８の写像性評価値取得部７８GCは、第１光沢指標値ＧＳ１と第２光沢指標値ＧＳ２とを使用して、上述した式（２−１）や式（２−２）に従って写像性を示す評価値ＧＣを算出し、この写像性評価値ＧＣを所定の記憶装置の所定の記憶領域に記憶する（Ｓ３３０）。
【０１４５】
一方、光沢むら評価値ＧＵの測定を行なう場合（Ｓ３０４−ＧＵ）、光学系制御部５は、受光開き角Φ１での検知をアクティブとする制御信号ＣＮ１をアクティブにするとともに入射角および反射角を所定角度に設定するための制御信号ＣＮ３をアクティブにして、第１光源部１０_1から照明光Ｌ12を発せさせ入射角θ２で被測定物３に照射する（Ｓ４１０）。これを受けて、第１受光部３０_1（具体的には正反射光受光器５２_1）にて、制御信号ＣＮ１に応じて設定した受光開き角Φ１で、被測定物３にて反射された正反射光Ｌ22を反射角θ２で受光し、この受光により得た受光データＳ11を第１受光信号記憶部５５_1の所定の記憶領域に記憶する（Ｓ４１２）。以下、第１および第２の各実施形態と同様にして、正反射光Ｌ22についての受光開き角Φ１での測定や計算処理を完了させる。
【０１４６】
次に、光学系制御部５は、受光開き角Φ２での検知をアクティブとする制御信号ＣＮ２をアクティブにするとともに入射角および反射角を所定角度に設定するための制御信号ＣＮ３をアクティブにして、第２光源部１０_2から照明光Ｌ12を発せさせ入射角θ２で被測定物３に照射する（Ｓ４２０）。これを受けて、第２受光部３０_2（具体的には正反射光受光器５２_2）にて、制御信号ＣＮ２に応じて設定した受光開き角Φ２で、被測定物３にて反射された正反射光Ｌ22を反射角θ２で受光し、この受光により得た受光データＳ12を第２受光信号記憶部５５_2の所定の記憶領域に記憶する（Ｓ４２２）。以下、第１および第２の各実施形態と同様にして、正反射光Ｌ22についての受光開き角Φ２での測定や計算処理を完了させる。
【０１４７】
以下、第１および第２の各実施形態と同様に、光沢特性評価値取得部７８の光沢むら評価値取得部７８GUは、第１光沢指標値ＧＳ１と第２光沢指標値ＧＳ２とを使用して、上述した式（３−１）や式（３−２）に従って光沢むらを示す評価値ＧＵを算出し、この光沢むら評価値ＧＵを所定の記憶装置の所定の記憶領域に記憶する（Ｓ４３０）。
【０１４８】
このように、第３実施形態の光沢特性評価装置１によれば、第２実施形態と同様に、単一の入射角で被測定物を照射し、それに対応した物体表面からの正反射光を単一の受光部を使用しつつ異なる受光開き角で受光し、受光した２つの信号から２つの鏡面光沢度や狭義の光沢指標値を算出し、２つの鏡面光沢度などに基づいて物体表面の写像性や光沢むらに関する評価値を算出しているので、第１実施形態と同様に、装置構成が複雑にならず簡易に視感と対応の取れた写像性や光沢むらを評価でき、かつ安価な測定装置で写像性や光沢むらを評価することができる。
【０１４９】
特に、この第３実施形態では、入射角および対応する反射角が異なる光源部と受光部とをそれぞれ２つ使用している点で第１実施形態の構成に類似するが、受光部としては第２実施形態と同様に、受光開き角を可変する機構を採用することで、１つの測定装置で写像性評価値ＧＣと光沢むら評価値ＧＵを算出することができるという大きな特徴を有しているのである。
【０１５０】
＜パソコンなどの電子計算機を利用した構成＞
なお、上述した一連の光沢に関する評価値算出処理は、ハードウェアにより実行させることもできるが、ソフトウェアにより実行させることもできる。一連の評価値算出処理をソフトウェアにより実行させる場合には、そのソフトウェアを構成するプログラムが、専用のハードウェアに組み込まれているコンピュータ（組込みマイコンなど）、あるいは、ＣＰＵ、論理回路、記憶装置などの機能を１つのチップ上に搭載して所望のシステムを実現するＳＯＣ（System On a Chip：システムオンチップ）、または、各種のプログラムをインストールすることで各種の機能を実行することが可能な汎用のパーソナルコンピュータなどに、記録媒体からインストールされる。
【０１５１】
記録媒体は、コンピュータのハードウェア資源に備えられている読取装置に対して、プログラムの記述内容に応じて、磁気、光、電気などのエネルギの状態変化を引き起こして、それに対応する信号の形式で、読取装置にプログラムの記述内容を伝達できるものである。たとえば、コンピュータとは別に、ユーザにプログラムを提供するために配布される、プログラムが記録されている磁気ディスク（フレキシブルディスクを含む）、光ディスク（ＣＤ−ＲＯＭ（Compact Disc-Read Only Memory ）、ＤＶＤ（Digital Versatile Disc）を含む）、光磁気ディスク（ＭＤ（Mini Disc ）を含む）、または半導体メモリなどよりなるパッケージメディア（可搬型の記憶媒体）により構成されるだけでなく、コンピュータに予め組み込まれた状態でユーザに提供される、プログラムが記録されているＲＯＭやハードディスクなどで構成されてもよい。または、ソフトウェアを構成するプログラムが、有線あるいは無線などの通信網を介して提供されてもよい。
【０１５２】
図１４は、ＣＰＵやメモリを利用してソフトウェア的に光沢特性評価装置１を構成する、すなわちパーソナルコンピュータなどの電子計算機を利用して光沢特性評価装置１を構築する場合のハードウェア構成の一例を示した図である。
【０１５３】
光沢特性評価装置１を構成するコンピュータシステム９００は、ＣＰＵ９０２、ＲＯＭ（Read Only Memory）９０４、ＲＡＭ９０６、および通信Ｉ／Ｆ（インタフェース）９０８を備える。ＲＡＭ９０６は、撮像画像データを格納する領域を含んでいる。
【０１５４】
また、たとえばメモリ読出部９０７、ハードディスク装置９１４、フレキシブルディスク（ＦＤ）ドライブ９１６、あるいはＣＤ−ＲＯＭ（Compact Disk ROM）ドライブ９１８などの、記憶媒体からデータを読み出したり記録したりするための記録・読取装置を備えてもよい。データは、データバスを通じて各ハードウェア間をやり取りされる。
【０１５５】
ハードディスク装置９１４、ＦＤドライブ９１６、あるいはＣＤ−ＲＯＭドライブ９１８は、たとえば、ＣＰＵ９０２に周波数変換や周波数解析などの処理をソフトウェアにて実行させるためのプログラムデータを登録するなどのために利用される。また、ハードディスク装置９１４は、処理対象データを格納する領域を含んでいる。
【０１５６】
通信Ｉ／Ｆ９０８は、インターネットなどの通信網との間の通信データの受け渡しを仲介する。またコンピュータシステム９００は、測定データ入力のインタフェースの機能をなすＩ／Ｆ部９３０を備える。
【０１５７】
なお、上記実施形態で示した光沢特性評価装置１の各機能部分（特に受光信号処理部４２や評価値算出処理部４４）の全ての処理をソフトウェアで行なうのではなく、これら機能部分の一部をハードウェアにて行なう処理回路９４０として設けてもよい。
【０１５８】
光学部４からの出力信号は、図示しないＡ／Ｄ変換部によってデジタルデータに変換される。Ａ／Ｄ変換部から出力されるデジタルの検知データは、図示しない出力バッファを介してコンピュータシステム９００側のＩ／Ｆ部９３０に入力される。
【０１５９】
このような構成のコンピュータシステム９００は、上記実施形態に示した光沢特性評価装置１のデータ処理に関わる部分や制御に関わる部分の基本的な構成および動作と同様とすることができる。また、上述した処理をコンピュータに実行させるプログラムは、ＣＤ−ＲＯＭ９２２などの記録媒体を通じて配布される。あるいは、プログラムは、ＣＤ−ＲＯＭ９２２ではなくＦＤ９２０に格納されてもよい。また、ＭＯドライブを設け、ＭＯに前記プログラムを格納してもよく、またフラッシュメモリなどの不揮発性の半導体メモリカード９２４など、その他の記録媒体に前記プログラムを格納してもよい。
【０１６０】
さらに、他のサーバなどからインターネットなどの通信網を経由して前記プログラムをダウンロードして取得したり、あるいは更新したりしてもよい。なお、記録媒体としては、ＦＤ９２０やＣＤ−ＲＯＭ９２２などの他にも、ＤＶＤなどの光学記録媒体、ＭＤなどの磁気記録媒体、ＰＤなどの光磁気記録媒体、テープ媒体、磁気記録媒体、ＩＣカードやミニチュアカードなどの半導体メモリを用いることができる。記録媒体の一例としてのＦＤ９２０やＣＤ−ＲＯＭ９２２などには、上記実施形態で説明した光沢特性評価装置１における処理の一部または全ての機能を格納することができる。
【０１６１】
たとえば、鏡面光沢度ＧＳ１，ＧＳ２に関しては光沢度計を用いることで、各測定データＧＳ１，ＧＳ２を取得し、これらをＲＳ−２３２Ｃなどのインタフェースを介して（あるいはテンキーを用いた手入力で）パソコンに取り込んで光沢特性評価値ＧＣ，ＧＵを求める形態で説明すると、以下のようになる。なお、この場合、パソコン（コンピュータシステム９００）は評価値算出処理部４４として機能することとなる。
【０１６２】
すなわち、ＲＡＭ９０６などにインストールされるソフトウェアは、上記実施形態に示された光沢特性評価装置１と同様に、光沢特性評価値取得部７８などの機能部をソフトウェアとして備える。このようなソフトウェアは、光沢特性評価値ＧＣ，ＧＵを算出するためのアプリケーションソフトとして、ＣＤ−ＲＯＭやＦＤなどの可搬型の記憶媒体に格納され、あるいはネットワークを介して配布されるとよい。
【０１６３】
そして、光沢特性評価装置１をコンピュータにより構成する場合、ＣＤ−ＲＯＭドライブ９１８は、ＣＤ−ＲＯＭ９２２からデータまたはプログラムを読み取ってＣＰＵ９０２に渡す。そしてソフトウェアはＣＤ−ＲＯＭ９２２からハードディスク装置９１４にインストールされる。ハードディスク装置９１４は、ＦＤドライブ９１６またはＣＤ−ＲＯＭドライブ９１８によって読み出されたデータまたはプログラムや、ＣＰＵ９０２がプログラムを実行することにより作成されたデータを記憶するとともに、記憶したデータまたはプログラムを読み取ってＣＰＵ９０２に渡す。
【０１６４】
ハードディスク装置９１４に格納されたソフトウェアは、ＲＡＭ９０６に読み出された後にＣＰＵ９０２により実行される。たとえばＣＰＵ９０２は、記録媒体の一例であるＲＯＭ９０４およびＲＡＭ９０６に格納されたプログラムに基づいて上記の処理を実行する。すなわち、上述した式（２−１），（２−２），（３−１），（３−２）に従って光沢特性評価値ＧＣ，ＧＵを算出する。
【０１６５】
なお、これらの式自体は非常に簡単なものであり、電卓などの算術手段や暗算で簡単に光沢特性評価値ＧＣ，ＧＵを算出することができるので、これらの算術をコンピュータを使用して行なうことは利点がないように考えられるが、より高精度な光沢特性評価値ＧＣ，ＧＵを求めるために多数の値を取ってデータ解析する際には、このようなコンピュータを使用する構成を採る利点がある。また、鏡面光沢度ＧＳ１，ＧＳ２に対して線形変換処理を行なう上でも、このようなコンピュータを使用する構成を採る利点がある。
【０１６６】
以上、本発明を実施形態を用いて説明したが、本発明の技術的範囲は上記実施形態に記載の範囲には限定されない。発明の要旨を逸脱しない範囲で上記実施形態に多様な変更または改良を加えることができ、そのような変更または改良を加えた形態も本発明の技術的範囲に含まれる。
【０１６７】
また、上記の実施形態は、クレーム（請求項）にかかる発明を限定するものではなく、また実施形態の中で説明されている特徴の組合せの全てが発明の解決手段に必須であるとは限らない。前述した実施形態には種々の段階の発明が含まれており、開示される複数の構成要件における適宜の組合せにより種々の発明を抽出できる。実施形態に示される全構成要件から幾つかの構成要件が削除されても、効果が得られる限りにおいて、この幾つかの構成要件が削除された構成が発明として抽出され得る。
【０１６８】
すなわち、本願発明は、複数の受光開き角で正反射光を検出することで複数の鏡面光沢度（もしくは狭義の光沢指標値）を取得し、この複数の広義の光沢指標値に基づいて写像性を示す評価値ＧＣや光沢むらを示す評価値ＧＵを求めることができるようにしたものであり、その限りにおいて、光沢に関する評価値（光沢特性評価値ＧＣ，ＧＵ）を算出する式は、上述の式に限るものではない。
【０１６９】
また、光沢特性評価値ＧＣ，ＧＵを求める際には、数式により算出するものに限らず、正反射光強度と評価値とを数表として記憶したルックアップテーブルを利用するものであってもよい。
【０１７０】
また、図１などに示した光沢特性評価装置１の構成では、光源および測定用の受光部を本体先端部に配しかつ支持台６に固定して設け、支持台６上に被測定物３を配して測定する場合について説明したが、これに限らず、たとえば細長い円筒状や角筒状で手に持つことのできる（グリップ性能の良好な）大きさを有するスティック状の本体とし、たとえば髪、肌、繊維、布など任意のものの、表面性状に起因するつやを定量的に測定するものとして構成してもよい。
【０１７１】
また、光沢特性評価装置１を構成する場合、図２などに示した信号処理部４０の構成要素のうち、光沢特性評価値取得部７８を備えるものを光沢特性評価装置１とすることができる。本願発明は、所定の入射角で被測定物を照射し、それに対応した正反射光をそれぞれ異なる受光開き角で検出することで複数の鏡面光沢度を取得し、この複数の鏡面光沢度に基づいて写像性を示す評価値ＧＣや光沢むらを示す評価値ＧＵを求める点を技術思想とするものであり、これらの光沢特性評価値ＧＣ，ＧＵを求めるために使用される基礎データ（たとえば鏡面光沢度ＧＳ１，ＧＳ２や光沢指標値ＧＵ１，ＧＵ２）の取得は別の装置にて行なっても構わないからである。図１４に示したパソコンなどのコンピュータを用いた態様はその一例である。
【０１７２】
もちろん、光沢特性評価値取得部７８の他、光源、正反射光受光部、正反射光基礎情報取得部、さらには光沢指標算出部など、図２などに示した信号処理部４０の機能要素の全てを搭載した装置として光沢特性評価装置１を構築してもよい。
【図面の簡単な説明】
【０１７３】
【図１】本発明に係る光沢特性評価装置の第１実施形態の全体構成の概略を示す図である。
【図２】第１実施形態の光沢特性評価装置における信号処理系統の基本構成例を説明する図である。
【図３】第１実施形態の光沢特性評価装置における信号処理系統の変形構成例を説明する図である。
【図４】第１実施形態の構成における、評価値算出処理の手順の一例を示すフローチャートである。
【図５】第１実施形態の構成により、被測定物を測定対象として写像性を示す評価値を算出した実施例を説明する図である。
【図６】第１実施形態の構成により、被測定物を測定対象として光沢むらを示す評価値を算出した実施例を説明する図である。
【図７】本発明に係る光沢特性評価装置の第２実施形態の全体構成の概略を示す図である。
【図８】第２実施形態の光沢特性評価装置における信号処理系統の基本構成例を説明する図である。
【図９】第２実施形態の光沢特性評価装置における信号処理系統の変形構成例を説明する図である。
【図１０】第２実施形態の構成における、評価値算出処理の手順の一例を示すフローチャートである。
【図１１】本発明に係る光沢特性評価装置の第３実施形態の全体構成の概略（基本構成）を示す図である。
【図１２】本発明に係る光沢特性評価装置の第３実施形態の全体構成の概略（変形構成）を示す図である。
【図１３】第３実施形態の構成における、評価値算出処理の手順の一例を示すフローチャートである。
【図１４】電子計算機を用いて光沢特性評価装置を構成する場合のハードウェア構成の一例を示した図である。
【符号の説明】
【０１７４】
１…光沢特性評価装置、３…被測定物、４…光学部、５…光学系制御部、６…支持台、７…支持台駆動部、８…信号処理部、１０，１０_1，１０_2…光源部、３０，３０_1，３０_2…受光部、４０…信号処理部、４２…受光信号処理部、４４…評価値算出処理部、５０，５０_1，５０_2…正反射光信号処理部、５２，５２_1，５２_2…正反射光受光器、５３_1，５３_2…切替スイッチ、５４，５４_1，５４_2…分光鏡面反射率取得部、５６，５６_1，５６_2…鏡面光沢度変換部、５７，５７_1，５７_2…鏡面光沢度算出部、７２，７２_1，７２_2…線形変換部、７８…光沢特性評価値取得部、７８GC…写像性評価値取得部、７８GU…光沢むら評価値取得部、７９GCratio ，７９GUratio …鏡面光沢度比算出部、７９GCcomp，７９GUcomp…受光開き角補正係数算出部、７９GCdiff，７９GUdiff…鏡面光沢度差算出部
【図１】
2007033099.tif 000006
【図２】
2007033099.tif 000007
【図３】
2007033099.tif 000008
【図４】
2007033099.tif 000009
【図５】
2007033099.tif 000010
【図６】
2007033099.tif 000011
【図７】
2007033099.tif 000012
【図８】
2007033099.tif 000013
【図９】
2007033099.tif 000014
【図１０】
2007033099.tif 000015
【図１１】
2007033099.tif 000016
【図１２】
2007033099.tif 000017
【図１３】
2007033099.tif 000018
【図１４】
2007033099.tif 000019